(57)【特許請求の範囲】
【請求項１】
柱と柱の間に掛け渡された上部フレームと下部フレームにそれぞれ配設された上部レーと下部レールとで外壁パネルの上端と下端とを支持する外壁パネルの支持構造であって、
前記上部レールが外壁パネルの上端が嵌り込む上部嵌合溝と外壁パネルの上端を挟み込む上端挟持部を有し、
前記下部レールが下部フレームに固定される背面部材と、背面部材に着脱可能に取付けられる前面部材とで構成され、背面部材に前面部材を取付けることにより外壁パネルの下端が嵌り込む下部嵌合溝と外壁パネルの下端を挟み込む下端挟持部とが形成される外壁パネル支持構造。
【請求項２】
前記上端挟持部は外壁パネルの上端を挟み込んだ時に外壁パネルの両面に当接する一対の上部挟持片を有し、
前記下端挟持部は外壁パネルの下端を挟み込んだ時に外壁パネルの両面に当接する一対の下部挟持片を有する請求項１に記載の外壁パネル支持構造。
【請求項３】
前記一対の上部挟持片は互いに上下方向のずれた位置で外壁パネルの上端に当接し、前記一対の下部挟持片は互いに上下方向のずれた位置で外壁パネルの下端に当接する請求項２に記載の外壁パネル支持構造。
【請求項４】
前記一対の上部挟持片は、外壁パネルの外側面に当接する一方の上部挟持片が外壁パネルの上端面に近い位置で当接する一方、外壁パネルの内側面に当接する他方の上部挟持片が前記一方の上部挟持片が当接する位置より下方の位置で当接し、
前記一対の下部挟持片は、外壁パネルの外側面に当接する一方の下部挟持片が外壁パネルの下端面に近い位置で当接する一方、外壁パネルの内側面に当接する他方の下部挟持片が前記一方の下部挟持片が当接する位置より上方の位置で当接する請求項２又は３に記載の外壁パネル支持構造。
【請求項５】
前記外壁パネルを左右方向に複数配設した際、隣接する外壁パネルの側端同士を連結する留め金具を備え、
この留め金具が一方の外壁パネルの側端に設けられた凹溝部に嵌り込む凸状係合部と、他方の外壁パネルの側端に設けられた凸条部に嵌り込む凹状係合部とを有し、この留め金具を介して前記凹溝部に凸条部が嵌り込む請求項１に記載の外壁パネル支持構造。
【発明の詳細な説明】
【技術分野】
【０００１】
本発明は、建物の下地材等に外壁パネルを組み付けるための外壁パネル支持構造に関する。
【背景技術】
【０００２】
外壁パネルを建物の下地材等に組み付ける従来の構造として、例えば複数の建物ユニットを予め工場で製造し、建設現場でこれら建物ユニットを組み立てるユニット式建物が知られている（特許文献１参照）。建物の外壁となる外壁パネルを組み付ける手段としては、建物ユニットの側面に係合部材を取付ける一方、外壁パネルの裏面に被係合部材を取付け、建物ユニットの側面の外側に配置した外壁パネルを横方向にスライド移動させることにより、建物ユニットの係合部材と外壁パネルの被係合部材とを係合させて、建物ユニットの側面の所定位置に外壁パネルを配置して組み付けるものである。
【０００３】
しかしながら、上記従来の外壁パネル支持構造にあっては、建物ユニットの側面に取り付けた係合部材だけでなく、外壁パネルの裏面にも被係合部材を取り付ける必要があった他、この被係合部材の形状も建物ユニットの係合部材ごとの形状に合わせる必要があるため、製造工数及び製造コストが嵩むといった問題があった。
【先行技術文献】
【特許文献】
【０００４】
【特許文献１】特開平５‐２５５９８３号公報
【発明の概要】
【発明が解決しようとする課題】
【０００５】
そこで、本発明が解決しようとする課題は、建物に外壁パネルを組み付ける際の支持構造を簡易なものとすることで製造工数及び製造コストを抑えると共に、外壁パネルをスピーディに組み付けられる外壁パネル支持構造を提供するものである。
【課題を解決するための手段】
【０００６】
上記課題を解決するために、本発明に係る外壁パネル支持構造は、柱と柱の間に掛け渡された上部フレームと下部フレームにそれぞれ配設された上部レーと下部レールとで外壁パネルの上端と下端とを支持する外壁パネルの支持構造であって、前記上部レールが外壁パネルの上端が嵌り込む上部嵌合溝と外壁パネルの上端を挟み込む上端挟持部を有し、前記下部レールが下部フレームに固定される背面部材と、背面部材に着脱可能に取付けられる前面部材とで構成され、背面部材に前面部材を取付けることにより外壁パネルの下端が嵌り込む下部嵌合溝と外壁パネルの下端を挟み込む下端挟持部とが形成される。
【０００７】
また、本発明の一実施形態では、前記上端挟持部は外壁パネルの上端を挟み込んだ時に外壁パネルの両面に当接する一対の上部挟持片を有し、前記下端挟持部は外壁パネルの下端を挟み込んだ時に外壁パネルの両面に当接する一対の下部挟持片を有する。
【０００８】
また、本発明の一実施形態では、前記一対の上部挟持片は互いに上下方向のずれた位置で外壁パネルの上端に当接し、前記一対の下部挟持片は互いに上下方向のずれた位置で外壁パネルの下端に当接する。
【０００９】
さらに、本発明の一実施形態では、前記外壁パネルを左右方向に複数配設した際、隣接する外壁パネルの側端同士を連結する留め金具を備え、この留め金具が一方の外壁パネルの側端に設けられた凸条部に嵌り込む凹状係合部と、他方の外壁パネルの側端に設けられた凹溝部に嵌り込む凸状係合部とを有し、この留め金具を介して前記凸条部が凹溝部に嵌り込む。
【発明の効果】
【００１０】
本発明に係る外壁パネル支持構造によれば、上部レール及び下部レールのそれぞれに設けた嵌合溝と挟持部とをよって外壁パネルを支持する極めて簡易な支持構造であるため、製造工数及び製造コストを抑えることができると共に、外壁パネルをスピーディに組み付けることができる。
【００１１】
また、前記挟持部は外壁パネルの端部を挟み込んだ時に外壁パネルの両面に当接する一対の挟持片を有しているので、外壁パネルの端部をしっかりと支持することができる。
【００１２】
また、前記一対の挟持片は互いに上下方向のずれた位置で外壁パネルの端部に当接するので、より安定したパネル支持が可能となる。
【００１３】
さらに、隣接する外壁パネルの側端同士を連結する留め金具を備え、この留め金具が一方の外壁パネルの側端に設けられた凹溝部に嵌り込む凸状係合部と、他方の外壁パネルの側端に設けられた凸条部に嵌り込む凹状係合部とを有し、この留め金具を介して前記凹溝部に凸条部が嵌り込むので、側端同士の間に隙間などを生じることがなく、隣接する外壁パネルが一体的なものとして支持される。
【図面の簡単な説明】
【００１４】
【図１】本発明の一実施形態に係る外壁パネル支持構造の斜視図である。
【図２】外壁パネルを上下のレールに嵌め込む際の側面図である。
【図３】外壁パネルが上下のレールに支持された状態の側面図である。
【図４】外壁パネルの側端の凹凸形状及び留め金具を示す平面図である。
【図５】外壁パネルの側端の支持構造を示す平面図である。
【図６】留め金具の他の実施形態を示す斜視図である。
【発明を実施するための形態】
【００１５】
以下、本発明に係る外壁パネル支持構造の実施形態を添付図面に基づいて詳細に説明する。図１乃至図５には本発明に係る外壁パネル支持構造の一実施形態が示されている。図１に示したように、この実施形態では柱１と柱１の間に張り渡された上部フレーム２ａに上部レール３を、下部フレーム２ｂに下部レール４をそれぞれ配設し、この上下のレール３，４に複数の外壁パネル５を支持させるものである。なお、前記上部フレーム２ａ及び下部フレーム２ｂはＨ型鋼からなり、図２及び図３に示したように、上部フレーム２ａの上部フランジに沿って前記上部レール３を固定するためのＬ形下地材２０ａが設けられ、下部フレーム２ｂの下部フランジに沿って前記下部レール４を固定するためのＬ形下地材２０ｂが設けられている。
【００１６】
図２及び図３に示されるように、前記上部レール３は上部フレーム２ａに沿って延びる断面略コ字形状の長尺部材であり、全長に亘って前記上部フレーム２ａに固定されたＬ形下地材２０ａに溶接される背面部３ａと、上面部３ｂ及び前面部３ｃとで前記外壁パネル５の上端５ａを嵌め入れる上部嵌合溝３ｄを形成している。また、前記背面部３ａの下方には内側に突出する断面コ字状の上部挟持片６ａが設けられ、前記前面部３ｃの下端には内側に向けて屈曲する上部挟持片６ｂが設けられている。そして、これら一対の上部挟持片６ａ，６ｂによって前記上部嵌合溝３ｄに嵌め入れた外壁パネル５の上端５ａを両面側から挟み込む上端挟持部６を形成している。この上端挟持部６は、図３に示したように、一対の上部挟持片６ａ，６ｂ間の距離Ｌ１が前記外壁パネル５の上端５ａの厚み寸法に略対応しており、前記上部嵌合溝３ｄに嵌め入れた外壁パネル５の上端５ａの両面に上部挟持片６ａ，６ｂが当接して支持するものである。また、上部レール３の背面部３ａ及び前面部３ｃが弾性作用を有することから、上部挟持片６ａ，６ｂが外壁パネル５の上端５ａの両面に多少押圧気味に当接して、より挟持効果を発揮する。さらに、上部挟持片６ａ，６ｂは、上下方向において互いにずれた位置に設けられており、特にこの実施形態においては、外壁パネル５の外側面に当接する一方の上部挟持片６ｂが外壁パネルの上端面５ｃに近い位置で当接する一方、外壁パネル５の内側面に当接する他方の上部挟持片６ａが前記一方の上部挟持片６ｂが当接する位置より下方の位置で当接する。
【００１７】
一方、前記下部レール４は下部フレーム２ｂに沿って延びる断面略コ字形状の長尺部材であり、全長に亘って前記下部フレーム２ｂに固定される背面部材７と、この背面部材７に着脱可能に取付けられる前面部材８とで形成されている。前記背面部材７は、前記下部フレーム２ｂに固定されたＬ形下地材２０ｂに背面部７ａが溶接され、この背面部７ａの下端から内側に向けて屈曲する下面部７ｂと、この下面部７ｂの先端から下向きに屈曲する取付フランジ７ｃとを有する。一方、前記前面部材８は、前記背面部材７の背面部７ａより背の低い前面部８ａと、この前面部８ａの下端から内側に向けて屈曲する下面部８ｂと、この下面部８ｂの先端から下向きに屈曲する取付フランジ８ｃとを有する。
【００１８】
前記背面部材７と前面部材８とは、一方の取付フランジ７ｃと他方の取付フランジ８ｃとを面合わせし、取付フランジ７ｃ、８ｃ同士をネジ９で締め付けることによって一体に結合され、前記下部レール４を形成する。この下部レール４は、背面部材７の背面部７ａと、前面部材８の前面部８ａと、そして両部材７，８の一対の下面部７ｂ，８ｂとで前記外壁パネル５の下端５ｂを嵌め入れる下部嵌合溝１０を形成することになる。また、前記背面部７ａの上端には内側に向けて屈曲する下部挟持片１１ａが設けられ、前記前面部８ａの上端には内側に向けて屈曲する下部挟持片１１ｂが設けられている。そして、これら一対の下部挟持片１１ａ，１１ｂによって前記下部嵌合溝１０に嵌め入れた外壁パネル５の下端５ｂを両面側から挟み込む下端挟持部１１を形成している。この下端挟持部１１は、図３に示したように、一対の下部挟持片１１ａ，１１ｂ間の距離Ｌ２が前記外壁パネル５の下端５ｂの厚み寸法に略対応しており、前記下部嵌合溝１０に嵌め入れた外壁パネル５の下端５ｂの両面に下部挟持片１１ａ，１１ｂが当接して支持するものである。また、背面部材７の背面部７ａ及び前面部材８の前面部８ａが弾性作用を有することから、下部挟持片１１ａ，１１ｂが外壁パネル５の下端５ｂの両面に多少押圧気味に当接して、より挟持効果を発揮する。さらに、下部挟持片１１ａ，１１ｂは、上下方向において互いにずれた位置に設けられており、特にこの実施形態においては、外壁パネル５の外側面に当接する一方の下部挟持片１１ｂが外壁パネル５の下端面５ｄに近い位置で当接する一方、外壁パネル５の内側面に当接する他方の下部挟持片１１ａが前記一方の下部挟持片１１ｂが当接する位置より上方の位置で当接する。
【００１９】
前記外壁パネル５は、前記上部レール３と下部レール４に上端５ａと下端５ｂがそれぞれ支持される長方形の平板であり、平板全体が前記上部レール３及び下部レール４の各挟持部６，１１に対応した厚みを有している。また、図１及び図４に示したように、外壁パネル５の両側端には、隣接する外壁パネル５の両側端が互いに嵌り合うように、一方の側端には凹溝部１２が設けられ、他方の側端には前記凹溝部１２に留め金具１４を介して嵌り込む凸条部１３が設けられている。なお、外壁パネル５の材質は特に限定されないものである。
【００２０】
前記留め金具１４は、隣接する外壁パネル５の両側端をしっかりと連結するための連結補助具であり、図１及び図４に示したように、前記外壁パネル５の凹溝部１２に嵌り込む凸状係合部１５と、前記外壁パネル５の凸条部１３が嵌り込む凹状係合部１６とを有している。この留め金具１４は、前記凸状係合部１５と凹状係合部１６が一枚の金属薄板を折り曲げ加工することによって形成されており、金属薄板の一面側の凹凸形状によって凸状係合部１５が形成され、その裏面側の凹凸形状によって凹状係合部１６が形成されている。なお、前記凸状係合部１５は、凹溝部１２の内側面１２ａ，１２ｂ，１２ｃを支持する外側面１５ａ，１５ｂ，１５ｃを有し、凹状係合部１６は、凸条部１３の外側面１３ａ，１３ｂ，１３ｃを支持する内側面１６ａ，１６ｂ，１６ｃを有している。
【００２１】
また、前記留め金具１４は、前記凸状係合部１５の一側から外方に突出する平板状の止着部１７を有しており、この止着部１７を前記上部レール３と下部レール４との略中間位置に張り渡された横胴縁１９に当接させ、タッピングネジ２１によって横胴縁１９に締め付け固定される。なお、この実施形態では留め金具１４を横胴縁１９に固定しているが、横胴縁１９以外の建物の下地材に固定することも可能である。また、留め金具の他の実施形態として、図６に示したように、留め金具２４の止着部２７を横胴縁１９に被せて固定するように形成したものでもよい。この止着部２７は、前記留め金具１４の平板状の止着部１７と、この止着部１７の上端からＬ字状に延ばしたホルダ片１８とでコの字状に形成されるもので、この止着部２７を横胴縁１９に上から被せて横胴縁１９の両側面に嵌め込むことで留め金具２４を固定することができ、タッピングネジを使う必要がない。その他、留め金具は様々な手段で横胴縁や、横胴縁以外の下地材に固定することができる。
【００２２】
次に、上記外壁パネル５の組付け方法について説明する。図１及び図２に示したように、先ず外壁パネル５の上端５ａを上部レール３の上部嵌合溝３ｄに差込み、上端面５ｃが上部嵌合溝３ｄの上面部３ｂに当たるまで持ち上げ、そのまま垂直になるよう外壁パネル５を下部レール４に近づけ、下部レール４を構成する前面部材８を乗り越えたら外壁パネル５を下げて下部レール４の下部嵌合溝１０に嵌め入れ、図３に示したように、下端面５ｄを背面部材７の下面部７ｂと前面部材８の下面部８ｂの上に載せる。その際、図２に示したように、下部レール４の取付フランジ７ｃ，８ｃのネジ９を緩めておき、外壁パネル５の下端５ｂが前面部材８を乗り越え易いようにしておく。
【００２３】
次に、上記のように上部レール３と下部レール４とによって上下端が支持された外壁パネル５を所定の位置までレール上をスライドさせる。そして、図５（ａ）に示したように、一枚目の外壁パネル５−１を所定位置までスライドさせたのち、外壁パネル５−１のスライド方向の後側端に設けられた凸条部１３に留め金具１４の凹状係合部１６を嵌め込む。留め金具１４の高さ位置は、図１に示されるように、前記横胴縁１９に対応した外壁パネル５の高さ方向のほぼ中間位置である。外壁パネル５−１の後側端の凸条部１３に留め金具１４を嵌めた状態のまま、留め金具１４を横胴縁１９にタッピングネジ２１で固定する。
【００２４】
二枚目の外壁パネル５−２も前記と同様にして上部レール３と下部レール４に上下端が支持された状態で所定の位置までスライドさせ、図５（ａ），（ｂ）に示したように、スライド方向の前側端に設けられた凹溝部１２を前記横胴縁１９に固定されている留め金具１４の凸条係合部１５に嵌め込む。このようにして外壁パネル５の隣接する両側端は、前記留め金具１４の凹状係合部１６と凸条係合部１５に嵌り込むことで互いに重なり合って係合することになる。その結果、外壁パネル５の隣接する両側端には隙間などが生じないため、左右の外壁パネル５の側端の処理が容易となる。また、両側端が互いに重なり合って一体的となるためパネル強度が上がると共に、留め金具１４を介して横胴縁１９にもしっかりと固定されることになる。
【００２５】
上記と同様の手段で三枚目の外壁パネル５−３及び残りの外壁パネル５を所定位置までスライドさせ、隣接する各側端を留め金具１４を介して横胴縁１９に固定する。全ての外壁パネル５を所定位置に配設し終えたら、図３に示されるように、下部レール４の取付フランジ７ｃと取付フランジ８ｃとをネジ９で締め付ける。この状態において、外壁パネル５の上端５ａは、上部レール３の上部嵌合溝３ｄに嵌り込むと共に上端挟持部６に挟持される。具体的には上端５ａの両面に一対の上部挟持片６ａ，６ｂがそれぞれ当接して上端５ａを挟み込むように支持する。一方、外壁パネル５の下端５ｂは、下部レール４の下部嵌合溝１０に嵌り込むと共に下端挟持部１１によって挟持される。具体的には、下端５ｂの両面に一対の下部挟持片１１ａ，１１ｂがそれぞれ当接して下端５ｂを挟み込むように支持する。上記上部挟持片６ａ，６ｂ及び下部挟持片１１ａ，１１ｂは外壁パネル５に当接する位置が上下方向にずれている。すなわち、上部挟持片６ａ，６ｂ及び下部挟持片１１ａ，１１ｂは、それぞれが外壁パネル５の高さ方向の異なる２箇所に当接して支持することになるので、外壁パネル５の上下端をより確実に挟み込み支持することができる。また、この実施形態では前記上端挟持部６及び下端挟持部１１ともに、パネル外側の挟持片６ｂ，１１ｂで外壁パネル５の上下の各端面５ｃ、５ｄ近くを支持しているので、外壁パネル５の上下の縁材として外部から見える上部レール３の前面部３ｃ及び下部レール４の前面部８ａの幅寸法を抑えることができるので、外部からの見栄えを損なうことがない。
【００２６】
上述のように、外壁パネル５は上下端５ａ，５ｂが上下のレール３，４によって確実に支持されるのに加えて、両側端が留め金具１４を介して横胴縁１９にしっかりと固定されることになる。また、上述した外壁パネル支持構造は、外壁パネル５を上部レート３と下部レール４に沿ってスライドさせるだけの簡易な手段で組み付けることができるため、建物の外壁の組み付けが極めてスピーディになる。さらに、上述した外壁パネル支持構造では、外壁パネル５のパネル面に一切傷を付けることがないので、外壁パネル５の両面を建物の外壁として利用することもできる。
【００２７】
なお、上述した上部レール３、下部レール４、上端挟持部６、下端挟持部１１及び留め金具１４、２４等の形状が、上記実施形態の形状に限定されないことは勿論である。また、本発明の外壁パネル５は建物の外壁のみでなく、外壁の表面に装飾などの目的で被覆される外装用のパネルも含むものである。
【符号の説明】
【００２８】
１  柱
２ａ  上部フレーム
２ｂ  下部フレーム
３  上部レール
３ａ  背面部
３ｂ  上面部
３ｃ  前面部
３ｄ  上部嵌合溝
４  下部レール
５  外壁パネル
５ａ  上端
５ｂ  下端
６  上端挟持部
６ａ，６ｂ  上部挟持片
７  背面部材
７ａ  背面部
７ｂ  下面部
７ｃ  取付フランジ
８  前面部材
８ａ  前面部
８ｂ  下面部
８ｃ  取付フランジ
９  ネジ
１０  下部嵌合溝
１１  下端挟持部
１１ａ，１１ｂ  下部挟持片
１２  凹溝部
１２ａ，１２ｂ，１２ｃ  内側面
１３  凸条部
１３ａ，１３ｂ，１３ｃ  外側面
１４，２４  留め金具
１５  凸状係合部
１５ａ，１５ｂ，１５ｃ  外側面
１６  凹状係合部
１６ａ，１６ｂ，１６ｃ  内側面
１７，２７  止着部
１８  ホルダ片
１９  横胴縁
２０ａ，２０ｂ  Ｌ形下地材
２１  タッピングネジ
【図１】
0006754192.tif 000002
【図２】
0006754192.tif 000003
【図３】
0006754192.tif 000004
【図４】
0006754192.tif 000005
【図５】
0006754192.tif 000006
【図６】
0006754192.tif 000007